(57)【特許請求の範囲】
【請求項１】
無線通信の方法であって、
受信されたユーザ機器（ＵＥ）のアップリンク送信の第１の部分におけるアップリンク干渉を、基地局により、検出することと、
前記第１の部分と第２の部分との間の干渉変動を低減させるために、前記受信されたアップリンク送信の第２の部分を、前記検出されたアップリンク干渉に基づいて、さらに、周波数領域区分、サブフレームが保護されているか否か、およびユーザ機器タイプのうちの少なくとも１つに基づいて、ノイズ・パディングすることと、
を備え、
前記受信されたアップリンク送信の第２の部分は、前記受信されたアップリンク送信の第１の部分とは異なる方法。
【請求項２】
前記ノイズ・パディングすることは、前記受信されたアップリンク送信の第２の部分にノイズを導入することを含む、請求項１に記載の方法。
【請求項３】
前記ノイズ・パディングすることは、前記ＵＥの電力制御を指示すること、および、前記ＵＥの送信レートを制御すること、のうちの少なくとも１つをトリガする、請求項１に記載の方法。
【請求項４】
前記ノイズ・パディングすることは、前記基地局の受信機フロント・エンドにおいて、干渉による入力信号変動を低減させることを備える、請求項１に記載の方法。
【請求項５】
前記ノイズ・パディングすることは、時間領域区分に基づいており、前記アップリンク干渉が検出された時と同じ期間の前記第２の部分でなされ、前記受信されたアップリンク送信の第２の部分は、前記受信されたアップリンク送信の第１の部分に後続する部分である請求項１に記載の方法。
【請求項６】
前記ノイズ・パディングすることは、時間領域区分に基づいており、前記アップリンク干渉が検出された後の期間でなされる、請求項１に記載の方法。
【請求項７】
前記ノイズ・パディングすることは、前記周波数領域区分に基づいており、前記受信されたアップリンク送信の第２のチャネルではなく第１のチャネルへノイズを導入することを備え、前記第１のチャネルは前記第２の部分に含まれ、前記第２のチャネルは前記第１の部分に含まれる請求項１に記載の方法。
【請求項８】
前記ノイズ・パディングすることは、前記周波数領域区分に基づいており、前記受信されたアップリンク送信の第２のサブ帯域ではなく第１のサブ帯域へノイズを導入することを備え、前記第１のサブ帯域は前記第２の部分に含まれ、前記第２のサブ帯域は前記第１の部分に含まれる請求項１に記載の方法。
【請求項９】
無線通信における仮想的なノイズ・パディングのための方法であって、
アップリンク送信の第１の部分におけるアップリンク干渉を、基地局により、検出することと、
前記検出されたアップリンク干渉に基づいて、前記アップリンク送信の第２の部分における増加した干渉を計算することと、
前記第１の部分と第２の部分との間の干渉変動を低減させるために、前記計算された干渉に応じて、電力制御コマンドおよびレート制御コマンドのうちの少なくとも１つをユーザ機器（ＵＥ）へダイレクトにシグナルすることと、
を備え、前記受信されたアップリンク送信の第２の部分は、前記受信されたアップリンク送信の第１の部分とは異なる方法。
【請求項１０】
無線通信のための装置であって、
受信されたユーザ機器（ＵＥ）のアップリンク送信の第１の部分におけるアップリンク干渉を検出する手段と、
前記第１の部分と前記第２の部分との間の干渉変動を低減させるために、前記受信されたアップリンク送信の第２の部分を、前記検出されたアップリンク干渉に基づいて、さらに、周波数領域区分、サブフレームが保護されているか否か、およびユーザ機器タイプのうちの少なくとも１つに基づいて、ノイズ・パディングする手段と、
を備え、前記受信されたアップリンク送信の第２の部分は、前記受信されたアップリンク送信の第１の部分とは異なる装置。
【請求項１１】
無線通信における仮想的なノイズ・パディングのための装置であって、
アップリンク送信の第１の部分におけるアップリンク干渉を検出する手段と、
前記検出されたアップリンク干渉に基づいて、前記アップリンク送信の第２の部分における増加した干渉を計算する手段と、
前記第１の部分と前記第２の部分との間の干渉変動を低減させるために、前記計算された干渉に応じて、電力制御コマンドおよびレート制御コマンドのうちの少なくとも１つを、ユーザ機器（ＵＥ）へダイレクトにシグナルする手段と、
を備え、前記受信されたアップリンク送信の第２の部分は、前記受信されたアップリンク送信の第１の部分とは異なる装置。
【請求項１２】
無線ネットワークにおける無線通信のための、記録されたプログラム・コードを有するコンピュータ読取可能な記録媒体であって、
前記プログラム・コードは、
受信されたユーザ機器（ＵＥ）のアップリンク送信の第１の部分におけるアップリンク干渉を検出するためのプログラム・コードと、
前記第１の部分と第２の部分との間の干渉変動を低減させるために、前記受信されたアップリンク送信の第２の部分を、前記検出されたアップリンク干渉に基づいて、さらに、周波数領域区分、サブフレームが保護されているか否か、およびユーザ機器タイプのうちの少なくとも１つに基づいて、ノイズ・パディングするためのプログラム・コードと
を備え、前記受信されたアップリンク送信の第２の部分は、前記受信されたアップリンク送信の第１の部分とは異なるコンピュータ読取可能な記録媒体。
【請求項１３】
無線通信における仮想的なノイズ・パディングのための、記録されたプログラム・コードを有するコンピュータ読取可能な記録媒体であって、
前記プログラム・コードは、
アップリンク送信の第１の部分におけるアップリンク干渉を検出するためのプログラム・コードと、
前記検出されたアップリンク干渉に基づいて、前記アップリンク送信の第２の部分における増加した干渉を計算するためのプログラム・コードと、
前記第１の部分と第２の部分との間の干渉変動を低減させるために、前記計算された干渉に応じて、電力制御コマンドおよびレート制御コマンドのうちの少なくとも１つを、ユーザ機器（ＵＥ）へダイレクトにシグナルするためのプログラム・コードと、
を備え、前記受信されたアップリンク送信の第２の部分は、前記受信されたアップリンク送信の第１の部分とは異なるコンピュータ読取可能な記録媒体。
【請求項１４】
無線通信のためのシステムであって、
メモリと、前記メモリに接続された少なくとも１つのプロセッサとを備え、
前記少なくとも１つのプロセッサは、
受信されたユーザ機器（ＵＥ）のアップリンク送信の第１の部分におけるアップリンク干渉を検出し、
前記第１の部分と前記第２の部分との間の干渉変動を低減させるために、前記受信されたアップリンク送信の第２の部分を、前記検出されたアップリンク干渉に基づいて、さらに、周波数領域区分、サブフレームが保護されているか否か、およびユーザ機器タイプのうちの少なくとも１つに基づいて、ノイズ・パディングする
ように構成され、前記受信されたアップリンク送信の第２の部分は、前記受信されたアップリンク送信の第１の部分とは異なるシステム。
【請求項１５】
前記ノイズ・パディングすることは、前記受信されたアップリンク送信の第２の部分にノイズを導入することを含む、請求項１４に記載のシステム。
【請求項１６】
前記ノイズ・パディングすることは、前記ＵＥの電力制御を指示すること、および、前記ＵＥの送信レートを制御すること、のうちの少なくとも１つをトリガする、請求項１４に記載のシステム。
【請求項１７】
前記ノイズ・パディングするように構成されたプロセッサはさらに、基地局の受信機フロント・エンドにおいて、干渉による入力信号変動を低減させるように構成された、請求項１４に記載のシステム。
【請求項１８】
前記ノイズ・パディングすることは、時間領域区分に基づいており、前記アップリンク干渉が検出された時と同じ期間の前記第２の部分でなされる、請求項１４に記載のシステム。
【請求項１９】
前記ノイズ・パディングすることは、時間領域区分に基づいており、前記アップリンク干渉が検出された後の期間でなされる、請求項１４に記載のシステム。
【請求項２０】
前記ノイズ・パディングすることは、前記周波数領域区分に基づいており、前記受信されたアップリンク送信の第２のチャネルではなく第１のチャネルへノイズを導入することを備え、前記第１のチャネルは前記第２の部分に含まれ、前記第２のチャネルは前記第１の部分に含まれる請求項１４に記載のシステム。
【請求項２１】
前記ノイズ・パディングすることは、前記周波数領域区分に基づいており、前記受信されたアップリンク送信の第２のサブ帯域ではなく第１のサブ帯域へノイズを導入することを備え、前記第１のサブ帯域は前記第２の部分に含まれ、前記第２のサブ帯域は前記第１のチャネルに含まれる請求項１４に記載のシステム。
【請求項２２】
無線通信における仮想的なノイズ・パディングのためのシステムであって、
メモリと、前記メモリに接続された少なくとも１つのプロセッサとを備え、
前記少なくとも１つのプロセッサは、
アップリンク送信の第１の部分におけるアップリンク干渉を検出し、
前記検出されたアップリンク干渉に基づいて、アップリンク送信の第２の部分における増加した干渉を計算し、
前記第１の部分と前記第２の部分との間の干渉変動を低減させるために、前記計算された干渉に応じて、電力制御コマンドおよびレート制御コマンドのうちの少なくとも１つを、ユーザ機器（ＵＥ）へダイレクトにシグナルする
ように構成され、前記受信されたアップリンク送信の第２の部分は、前記受信されたアップリンク送信の第１の部分とは異なるシステム。
【発明の詳細な説明】
【関連出願に対する相互参照】
【０００１】
本願は、２０１０年４月１３日に出願された「ヘテロジニアスなネットワーク（ＨＥＴＮＥＴ）におけるノイズ・パディング技術」（NOISE PADDING TECHNIQUES IN HETEROGENEOUS NETWORKS (HETNET)）と題された米国仮特許出願６１／３２３，８５５号の利益を主張する。この開示は、全体が参照によって本明細書に明確に組み込まれている。
【技術分野】
【０００２】
本開示のある態様は、一般に、無線通信システムに関し、さらに詳しくは、ヘテロジニアスな無線通信ネットワークにおけるノイズ・パディング技術に関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉に遭遇しうる。アップリンクでは、ＵＥからの送信が、近隣の基地局と通信する別のＵＥのアップリンク送信からの、または、別の無線ＲＦ送信機からの干渉に遭遇しうる。この干渉は、ダウンリンクとアップリンクとの両方のパフォーマンスを低下させうる。
【０００６】
モバイル・ブロードバンド・アクセスに対する需要が増加し続けると、ＵＥが長距離無線通信ネットワークにアクセスすることや、短距離無線システムがコミュニティにおいて展開されることとともに、干渉および混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００７】
１つの態様では、無線通信の方法が開示される。この方法は、受信されたユーザ機器のアップリンク送信におけるアップリンク干渉を検出すること、を含む。受信されたアップリンク送信は、検出された干渉に基づいて、さらに、周波数領域区分、サブフレームが保護されているか否か、および／または、ユーザ機器タイプに基づいて、パディングされたノイズである。
【０００８】
別の態様では、無線通信における仮想的なノイズ・パディングのための方法が開示される。この方法は、アップリンク干渉を検出することと、検出された干渉に基づいて、増加した干渉を計算することと、を含む。計算された干渉に応じて、電力制御コマンドおよび／またはレート制御コマンドが、ユーザ機器にダイレクトにシグナルされる。
【０００９】
実施形態では、装置が開示される。この装置は、受信されたユーザ機器のアップリンク送信におけるアップリンク干渉を検出する手段を含む。この装置はさらに、受信されたアップリンク送信を、検出された干渉に基づいて、さらに、周波数領域区分、サブフレームが保護されているか否か、および／またはユーザ機器タイプに基づいて、ノイズ・パディングする手段を含む。
【００１０】
別の態様では、無線通信における仮想的なノイズ・パディングのための装置が開示される。この装置は、アップリンク干渉を検出する手段と、検出された干渉に基づいて、増加した干渉を計算する手段とを含む。計算された干渉に応じて、電力制御コマンドおよび／またはレート制御コマンドを、ＵＥへダイレクトにシグナルする手段もまた含まれる。
【００１１】
別の実施形態では、無線ネットワークにおける無線通信のためのコンピュータ・プログラム製品が開示される。コンピュータ読取可能な媒体は、１または複数のプロセッサによって実行された場合に、１または複数のプロセッサに対して、受信されたユーザ機器のアップリンク送信におけるアップリンク干渉を検出するための動作を実行させるための、記録されたプログラム・コードを有する。このプログラム・コードはまた、１または複数のプロセッサに対して、受信されたアップリンク送信に、検出された干渉に基づいて、さらに、周波数領域区分、サブフレームが保護されているか否か、および／またはユーザ機器タイプに基づいて、ノイズ・パディングさせる。
【００１２】
別の態様は、無線通信における仮想的なノイズ・パディングのためのコンピュータ・プログラム製品を開示する。コンピュータ読取可能な媒体は、１または複数のプロセッサによって実行された場合に、プロセッサ（単数または複数）に対して、アップリンク干渉を検出することと、検出された干渉に基づいて、増加した干渉を計算することと、の動作を実行させるための、記録されたプログラム・コードを有する。プログラム・コードは、プロセッサ（単数または複数）に対して、計算された干渉に応じて、電力制御コマンドおよび／またはレート制御コマンドをＵＥへダイレクトにシグナルさせる。
【００１３】
別の実施形態は、メモリと、メモリに接続された少なくとも１つのプロセッサとを有する、無線通信のためのシステムを開示する。プロセッサ（単数または複数）は、受信されたＵＥ（ユーザ機器）のアップリンク送信におけるアップリンク干渉を検出するように構成される。プロセッサまた、受信されたアップリンク送信に、検出された干渉に基づいて、さらに、周波数領域区分、サブフレームが保護されているか否か、および／またはユーザ機器タイプに基づいて、ノイズ・パディングするように構成される。
【００１４】
別の態様では、無線通信における仮想的なノイズ・パディングのためのシステムが開示される。このシステムは、メモリと、このメモリに接続された少なくとも１つのプロセッサとを有する。プロセッサ（単数または複数）は、アップリンク干渉を検出し、検出された干渉に基づいて、増加した干渉を計算するように構成される。プロセッサはさらに、計算された干渉に応じて、電力制御コマンドおよび／またはレート制御コマンドをＵＥへダイレクトにシグナルするように構成される。
【００１５】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１６】
本開示の特徴、特性、および利点は、同一の参照符号が全体を通じて同一物に特定している図面とともに考慮された場合、以下に記載する詳細な記載からより明らかになるだろう。
【図１】図１は、テレコミュニケーション・システムの例を概念的に例示するブロック図である。
【図２】図２は、テレコミュニケーション・システムにおけるダウンリンク・フレーム構造の例を概念的に例示する図である。
【図３】図３は、アップリンク通信における典型的なフレーム構造の例を概念的に例示するブロック図である。
【図４】図４は、本開示の１つの態様にしたがって構成された基地局／ｅノードＢとＵＥとの設計を概念的に例示するブロック図である。
【図５】図５は、本開示の態様にしたがうヘテロジニアスなネットワークにおける適応リソース区分を概念的に例示するブロック図である。
【図６Ａ】図６Ａは、本開示の態様にしたがうフェムト基地局の受信機フロント・エンドにおける異なるポイントにおけるノイズ・パディングを例示する。
【図６Ｂ】図６Ｂは、本開示の態様にしたがうフェムト基地局の受信機フロント・エンドにおける異なるポイントにおけるノイズ・パディングを例示する。
【図６Ｃ】図６Ｃは、本開示の態様にしたがうフェムト基地局の受信機フロント・エンドにおける異なるポイントにおけるノイズ・パディングを例示する。
【図７】図７は、本開示の１つの態様にしたがうサブフレーム・ベースのノイズ・パディングの例の例示である。
【図８Ａ】図８Ａは、本開示の態様にしたがって、ノイズ・パディングを伴うカジュアルな自動利得補償（ＡＧＣ：automatic gain compensation）の例を例示する。
【図８Ｂ】図８Ｂは、本開示の態様にしたがって、ノイズ・パディングを伴う非カジュアルな自動利得補償（ＡＧＣ：automatic gain compensation）の例を例示する。
【図９Ａ】図９Ａは、ヘテロジニアスな無線ネットワークにおいてノイズ・パディング技術を適用するための方法を例示するブロック図である。
【図９Ｂ】図９Ｂは、ヘテロジニアスな無線ネットワークにおいてノイズ・パディング技術を適用するための方法を例示するブロック図である。
【発明を実施するための形態】
【００１７】
添付図面とともに以下に説明する詳細説明は、さまざまな構成の説明として意図されており、本明細書に記載された概念が実現される唯一の構成を示すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１８】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用されうる。「ネットワーク」および「システム」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確化のために、これら技術のある態様は、以下において、ＬＴＥに関して記載されており、ＬＴＥ用語が以下の説明の多くで使用される。
【００１９】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ）、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現する。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる組織からの文書に記載されている。ＣＤＭＡ２０００（登録商標）およびＵＭＢは、「第３世代パートナシップ計画２」（３ＧＰＰ２）と呼ばれる組織からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりにこれらはともに“ＬＴＥ／−Ａ”として称される）について記載されており、このようなＬＴＥ−Ａ用語が以下の説明の多くで使用される。
【００２０】
図１は、ＬＴＥ−Ａネットワークでありうる無線通信ネットワーク１００を示す。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効範囲を提供する。３ＧＰＰでは、用語「セル」は、この用語が使用される文脈に依存して、この有効通信範囲エリアにサービス提供しているｅノードＢおよび／またはｅノードＢサブシステムからなるこの特定の地理的有効通信範囲エリアを称しうる。
【００２１】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、フェムト・セルとの関連を持つＵＥ（例えば、クローズド加入者グループ（ＣＳＧ）におけるＵＥ）、住宅内のユーザのためのＵＥ等による無制限のアクセスを提供しうる。マクロ・セルのためのｅノードＢは、マクロｅノードＢと称されうる。ピコ・セルのためのｅノードＢは、ピコｅノードＢと称されうる。そして、フェムト・セルのためのｅノードＢは、フェムトｅノードＢまたはホームｅノードＢと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。そして、ｅノードＢ１１０ｙ，１１０ｚは、それぞれフェムト・セル１０２ｙ，１０２ｚのためのフェムトｅノードＢである。ｅノードＢは、１または複数（例えば２、３、４個等）のセルをサポートしうる。
【００２２】
無線ネットワーク１００はさらに、中継局をも含みうる。中継局は、データおよび／またはその他の情報の送信を上流局（例えば、ｅノードＢまたはＵＥ）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００２３】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００２４】
無線ネットワーク１００は、同期動作または非同期動作をサポートしうる。同期動作の場合、ｅノードＢは、類似のフレーム・タイミングを有し、異なるｅノードＢからの送信は、時間的にほぼ揃えられうる。非同期動作の場合、ｅノードＢは、異なるフレーム・タイミングを有し、異なるｅノードＢからの送信は、時間的に揃わない場合がある。ここに記載された技術は、同期動作あるいは非同期動作の何れかのために使用されうる。
【００２５】
１つの態様では、無線ネットワーク１００は、周波数分割デュプレクス（ＦＤＤ）動作モードまたは時分割デュプレクス（ＴＤＤ）動作モードをサポートしうる。ここに記載された技術は、ＦＤＤ動作モードまたはＴＤＤ動作モードの何れかのために使用されうる。
【００２６】
ネットワーク・コントローラ１３０は、ｅノードＢ１１０のセットに接続しており、これらｅノードＢ１１０のための調整および制御を提供しうる。ネットワーク・コントローラ１３０は、バックホールを介してｅノードＢ１１０と通信しうる。ｅノードＢ１１０はまた、例えば、ダイレクトに、または、無線バックホールまたは有線バックホールを介して非ダイレクトに、互いに通信しうる。
【００２７】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット等でありうる。ＵＥは、マクロｅノードＢ、ピコｅノードＢ、フェムトｅノードＢ、リレー等と通信することができうる。図１では、２つの矢印を持つ実線が、ＵＥと、ダウンリンクおよび／またはアップリンクでＵＥにサービス提供するように指定されたｅノードＢであるサービス提供ｅノードＢとの間の所望の送信を示す。２つの矢印を持つ破線は、ＵＥとｅノードＢとの間の干渉送信を示す。
【００２８】
ＬＴＥは、ダウンリンクで周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに区分する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、サブキャリアの間隔は、１５ｋＨｚでありうる。そして、（「リソース・ブロック」と呼ばれる）最小リソース割当は、１２サブキャリア（または１８０ｋＨｚ）でありうる。その結果、ノミナルＦＦＴサイズは、１．２５，２．５，５，１０，２０メガヘルツ（ＭＨｚ）の対応するシステム帯域幅についてそれぞれ１２８，２５６，５１２，１０２４，２０４８に等しくなりうる。システム帯域幅はまた、サブ帯域へ区分されうる。例えば、サブ帯域は、１．０８ＭＨｚ（すなわち、６リソース・ブロック）をカバーし、１．２５，２．５，５，１０，２０ＭＨｚの対応するシステム帯域幅についてそれぞれ１，２，４，８，１６のサブ帯域が存在しうる。
【００２９】
図２は、ＬＴＥにおいて使用されるダウンリンクＦＤＤ構造を示す。ダウンリンクの送信タイムラインは、ラジオ・フレームの単位に区分されうる。おのおののラジオ・フレームは、（例えば１０ミリ秒（ｍｓ）のような）予め定められた持続時間を有し、０乃至９のインデクスを付された１０個のサブフレームへ区分されうる。おのおののサブフレームは２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、例えば、７つのシンボル期間を含み、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ区分されうる。おのおののリソース・ブロックは、１つのスロットにおいてＮ個のサブキャリア（例えば、１２のサブキャリア）をカバーしうる。
【００３０】
ＬＴＥでは、ｅノードＢは、ｅノードＢにおける各セルについて、一次同期信号（ＰＳＣまたはＰＳＳ）および二次同期信号（ＳＳＣまたはＳＳＳ）を送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、ＵＥによって、セル検出および獲得のために使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、一定のシステム情報を伝送しうる。
【００３１】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、少ない数のシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００３２】
ｅノードＢは、ｅノードＢによって使用されるシステム帯域幅の中心１．０８ＭＨｚでＰＳＣ、ＳＳＳ、およびＰＢＣＨを送信しうる。ｅノードＢは、これらのチャネルが送信される各シンボル期間におけるシステム帯域幅全体でＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、ＵＥのグループに、ＰＤＳＣＨを送信しうる。ｅノードＢは、すべてのＵＥへブロードキャスト方式でＰＳＣ、ＳＳＣ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００３３】
各シンボル期間において、多くのリソース要素が利用可能でありうる。おのおののリソース要素は、１つのシンボル期間において１つのサブキャリアをカバーし、実数値または複素数値である１つの変調シンボルを送信するために使用されうる。制御チャネルのために使用されるシンボルについて、各シンボル期間において、基準信号のために使用されないリソース要素が、リソース要素グループ（ＲＥＧ）へ構成されうる。おのおののＲＥＧは、１つのシンボル期間内に、４つのリソース要素を含みうる。ＰＣＦＩＣＨは、シンボル期間０において、４つのＲＥＧを占有しうる。これらは、周波数にわたってほぼ等間隔に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧのある組み合わせのみが、ＰＤＣＣＨのために許可されうる。
【００３４】
ＵＥは、ＰＨＩＣＨとＰＣＦＩＣＨとのために使用された特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００３５】
ＵＥは、複数のｅノードＢの有効通信範囲内に存在しうる。これらのｅノードＢのうちの１つは、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００３６】
図３は、アップリンク・ロング・ターム・イボリューション（ＬＴＥ）通信における典型的なＦＤＤおよびＴＤＤ（特別ではないサブフレームのみの）サブフレーム構造を概念的に例示するブロック図である。アップリンクのために利用可能なリソース・ブロック（ＲＢ）は、データ・セクションおよび制御セクションに区分されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥに、データ・セクション内に、連続するサブキャリアのすべてが割り当てられるようになる。
【００３７】
ＵＥは、ｅノードＢへ制御情報を送信するために、制御セクション内にリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図３に示すように、周波数を越えてホップしうる。１つの態様によれば、緩和された単一キャリア動作において、ＵＬリソースで並列なチャネルが送信されうる。例えば、制御およびデータ・チャネル、並列制御チャネル、および並列データ・チャネルが、ＵＥによって送信されうる。
【００３８】
ＰＳＣ、ＳＳＣ、ＣＲＳ、ＰＢＣＨ、ＰＵＣＣＨ、ＰＵＳＣＨ、および、ＬＴＥ／−Ａで使用される他のこのような信号およびチャネルは、公的に利用可能な、「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００３９】
図４は、図１における基地局／ｅノードＢのうちの１つ、およびＵＥのうちの１つでありうる、基地局／ｅノードＢ１１０とＵＥ１２０との設計のブロック図を示す。基地局１１０は、図１におけるマクロｅノードＢ１１０ｃでありうる。そして、ＵＥ１２０は、ＵＥ１２０ｙでありうる。基地局１１０はさらに、その他いくつかのタイプの基地局でもありうる。基地局１１０は、アンテナ４３４ａ乃至４３４ｔを備え、ＵＥ１２０は、アンテナ４５２ａ乃至４５２ｒを備えうる。
【００４０】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データ情報および制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、基準シンボル、制御シンボル、および／または、データ・シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔによってそれぞれ送信されうる。
【００４１】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００４２】
アップリンクでは、ＵＥ１２０において、送信プロセッサ４６４が、データ・ソース４６２から（例えば、ＰＵＳＣＨのための）データを、コントローラ／プロセッサ４８０から（例えば、ＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）変調器４５４ａ乃至４５４ｒによって処理され、基地局１１０へ送信される。基地局１１０では、ＵＥ１２０からのアップリンク信号が、アンテナ４３４によって受信され、復調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得される。プロセッサ４３８は、復号されたデータをデータ・シンク４３９に提供し、復号された制御情報をコントローラ／プロセッサ４４０へ提供しうる。基地局１１０は、例えばＸ２インタフェース４４１を介して、他の基地局へメッセージを送信しうる。
【００４３】
コントローラ／プロセッサ４４０，４８０は、基地局１１０およびＵＥ１２０それぞれにおける動作を指示しうる。基地局１１０におけるプロセッサ４４０および／またはその他のプロセッサおよびモジュールは、本明細書に記載された技術のためのさまざまな処理の実行または実行の指示を行いうる。ＵＥ１２０におけるプロセッサ４８０および／またはその他のプロセッサおよびモジュールは、図９Ａ−９Ｂに例示された機能ブロック、および／または、本明細書に記載された技術のためのその他の処理の実行または実行の指示を行いうる。メモリ４４２，４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００４４】
図５は、本開示の１つの態様にしたがうヘテロジニアスなネットワークにおけるＴＤＭ区分を例示するブロック図である。ブロックの第１行は、フェムトｅノードＢのためのサブフレーム割当を例示しており、ブロックの第２行は、マクロｅノードＢのためのサブフレーム割当を例示している。ｅノードＢのおのおのは、静的な保護サブフレームを有する。この間、他のｅノードＢは、静的な禁止サブフレームを有する。例えば、フェムトｅノードＢは、サブフレーム０における禁止サブフレーム（Ｎサブフレーム）に対応する、サブフレーム０における保護サブフレーム（Ｕサブフレーム）を有する。同様に、マクロトｅノードＢは、サブフレーム７における禁止サブフレーム（Ｎサブフレーム）に対応する、サブフレーム７における保護サブフレーム（Ｕサブフレーム）を有する。サブフレーム１−６は、保護サブフレーム（ＡＵ）、禁止サブフレーム（ＡＮ）、および共通サブフレーム（ＡＣ）の何れかとして動的に割り当てられる。サブフレーム５，６において動的に割り当てられた共通サブフレーム（ＡＣ）では、フェムトｅノードＢとマクロｅノードＢとの両方が、データを送信しうる。
【００４５】
攻撃ｅノードＢは、送信することを禁止されているので、（例えばＵ／ＡＵサブフレームのような）保護サブフレームは、干渉が低減され、高いチャネル品質を有する。（例えば、Ｎ／ＡＮサブフレームのような）禁止サブフレームは、データ送信を有さないので、犠牲ｅノードＢは、低い干渉レベルでデータを送信できるようになる。（例えば、Ｃ／ＡＣサブフレームのような）共通サブフレームは、データを送信している近隣ｅノードＢの数に依存するチャネル品質を有する。例えば、近隣ｅノードＢが、共通サブフレームでデータを送信している場合、共通サブフレームのチャネル品質は、保護サブフレームよりも低くなりうる。共通サブフレームのチャネル品質はまた、攻撃ｅノードＢによって強く影響を受けた拡張境界エリア（ＥＢＡ）について低くなりうる。ＥＢＡ  ＵＥは、第１のｅノードＢに属するのみならず、第２のｅノードＢの有効通信範囲エリア内に配置されうる。例えば、フェムトｅノードＢ有効通信範囲の範囲限界近傍のマクロｅノードＢと通信するＵＥは、ＥＢＡ  ＵＥである。
【００４６】
ＬＴＥ／−Ａにおいて適用されうる別の干渉管理スキームの例は、緩慢な適応干渉管理である。干渉管理に対してこのアプローチを使用することによって、リソースは、ネゴシエートされ、スケジューリング間隔よりもはるかに大きな時間スケールにわたって割り当てられる。このスキームの目的は、時間リソースまたは周波数リソースのすべてにわたって、ネットワークの全体有用性を最大化する、送信元のｅノードＢとＵＥとのすべての送信電力の組み合わせを見つけることである。「有用性」は、ユーザ・データ・レート、サービス品質（ＱｏＳ）フローの遅れ、および公平メトリックに応じて定義されうる。このようなアルゴリズムは、最適化を解決するために使用される情報のすべてへのアクセスを有し、かつ、例えば、ネットワーク・コントローラ１３０（図１）のような送信エンティティのすべてに対する制御を有する、中央エンティティによって計算されうる。この中央のエンティティは、必ずしも現実的でも、また、望ましくもないかもしれない。したがって、代替態様では、ノードのあるセットからのチャネル情報に基づいて、リソース用途を決定する、分配されたアルゴリズムが使用されうる。したがって、緩慢な適応干渉アルゴリズムは、中央エンティティを用いて配置されるか、あるいは、ネットワーク内のノード／エンティティのさまざまなセットにわたってアルゴリズムを分配することによって配置されうる。
【００４７】
例えば無線ネットワーク１００のようなヘテロジニアスなネットワークの配置では、ＵＥは、１または複数の干渉元のｅノードＢから高い干渉を観察しうる支配的な干渉シナリオで動作しうる。支配的な干渉シナリオは、制限された関連付けによって生じうる。例えば、図１では、ＵＥ１２０ｙが、フェムトｅノードＢ１１０ｙの近くにあり、ｅノードＢ１１０ｙに関し高い受信電力を有しうる。しかしながら、制約された関連性によって、ＵＥ１２０ｙは、フェムトｅノードＢ１１０ｙにアクセスすることができず、（図１に示すような）マクロｅノードＢ１１０ｃ、または、同様に低い受信電力を持つ（図１に示されていない）フェムトｅノードＢ１１０ｚに接続しうる。ＵＥ１２０ｙは、その後、ダウンリンクで、フェムトｅノードＢ１１０ｙからの高い干渉を観察し、アップリンクで、ｅノードＢ１１０ｙへ高い干渉を引き起こしうる。ネットワークが、増強された干渉調整をサポートしている場合、基地局は、干渉元のセルによる干渉を低減および／または除去するために、リソースを調整するように互いにネゴシエートし、リソースの一部を放棄する。特に、ｅノードＢ１１０ｃおよびフェムトｅノードＢ１１０ｙは、調整された干渉管理を用いて、リソースをネゴシエートするために、バックホールを介して通信しうる。このネゴシエーションでは、フェムトｅノードＢ１１０ｙは、チャネル・リソースのうちの１つでの送信を停止することに合意する。これによって、ＵＥ１２０ｙは、同じチャネルを介してｅノードＢ１１０ｃと通信する場合ほど、フェムト１１０ｙからの干渉を受けなくなるであろう。リソースを放棄するためのフェムトｅノードＢ１１０ｙのためのネゴシエーションによって、フェムト・セル有効通信範囲の下におけるマクロＵＥ１２０ｙは未だに、放棄されたリソースを用いて、サービス提供マクロ・セル１０２ｃへアクセスすることができうる。ＯＦＤＭを用いたラジオ・アクセス・システムでは、放棄されたリソースは、時間ベースであるか、周波数ベースであるか、あるいは、これらの組み合わせでありうる。調整されたリソース区分が時間ベースである場合、干渉元のセルは、単に、時間領域において、サブフレームのうちのいくつかを使用しないことがありうる。調整されたリソース区分が周波数ベースである場合、干渉は、周波数領域におけるサブキャリアを放棄しうる。調整されたリソース区分が、周波数と時間との両方の組み合わせである場合、干渉元のセルは、周波数リソースと時間リソースとを放棄しうる。
【００４８】
このような支配的な干渉シナリオでは、同期システムにおいてでさえも、ＵＥと複数のｅノードＢとの間の距離が異なることにより、ＵＥで観察された信号電力の不一致に加えて、ダウンリンク信号のタイミング遅れもＵＥによって観察されうる。同期システムにおけるｅノードＢは、システムを超えた推定に基づいて同期される。しかしながら、例えば、マクロｅノードＢから５ｋｍの距離にあるＵＥを考慮すると、マクロｅノードＢから受信されたダウンリンク信号の伝搬遅れは、約１６．６７マイクロ秒（５ｋｍ÷３×１０８、すなわち、光速’ｃ’）の遅れとなるであろう。マクロｅノードＢからのダウンリンク信号を、より近いフェムトｅノードＢからのダウンリンク信号と比較すると、タイミング差は、ｔｉｍｅ−ｔｏ−ｌｉｖｅ（ＴＬＬ）誤差のレベルに近づきうる。
【００４９】
さらに、このタイミング差は、ＵＥにおける干渉除去に悪影響を与えうる。干渉除去はしばしば、サンプル信号の複数のバージョンの組み合わせ間の相互相関特性を用いる。同じ信号の複数のコピーを組み合わせることによって、干渉は、より簡単に識別されうる。なぜなら、信号のおのおののコピーにおける干渉が存在するであろう間、干渉は、同じ場所にあることはないだろうからである。組み合わされた信号の相互相関を用いて、実際の信号部分が判定され、干渉と区別されうる。これによって、干渉が除去されるようになる。
【００５０】
電力クラスは、異なるｅノードＢ間で変動しうる。例えば、マクロ・セルは、４６ｄＢｍのノミナル送信電力を有し、ピコ・セルは、３０ｄＢｍのノミナル送信電力を有し、フェムト・セルは、２１ｄＢｍのノミナル送信電力を有しうる。すべてのＵＥがすべてマクロ・セルおよびピコ・セルに接続しうるが、フェムト・セルには、選択されたＵＥしか接続できない。
【００５１】
この開示では、マクロ・セルおよびフェムト・セルの干渉管理の例が例示および記載されているが、潜在的な干渉は、ピコ・セル、別のフェムト・セル、リレー、ＷｉＦｉアクセス端末、またはＢｌｕｅｔｏｏｔｈ（登録商標）トランシーバ等からも発生しうる。
【００５２】
マクロ・セルとフェムト・セルとの間の送信電力差により、ＵＥは、フェムト・セルを発見する前に、または、ＵＥが、ラジオ・リンク失敗（ＲＬＦ）を発見する前に、フェムト・セルに対して高い干渉を引き起こしうる。マクロＵＥとフェムトＵＥとの間の約１８ｄＢの送信電力差によって、ＵＥがマクロ・セルおよび／またはフェムト・セルから同じダウンリンク電力を受信した場合、ＵＥは、フェムト・セルに対してより高いアップリンク干渉を有するだろう。リリース８  ＵＥは、高度なＩＣＩＣスキームを実行することができないだろう。リリース８  ＵＥが、フェムト・セルへますます接近すると、ダウンリンク干渉がより強くなるだろう。ダウンリンク干渉が強すぎる場合、ＵＥは、ラジオ・リンク失敗を宣言し、ネットワークへの接続を失うだろう。ＴＤＭリソース区分は、アップリンク干渉がＴＤＭ区分で継続する場合であっても、ダウンリンク干渉を低減するための１つの手法である。
【００５３】
リリース８  ＵＥの場合、あるチャネル（例えば、ＣＱＩ（チャネル品質インジケータ）、ＳＲＳ（サウンディング基準信号）、およびＳＲ（スケジューリング要求））のデフォルト周期は、８の倍数ではなく、チャネルは、ある間隔で、フェムトｅノードＢの保護サブフレーム（すなわち、Ｕサブフレーム）で送信されうる。リリース８のマクロＵＥが近傍にある場合、フェムトｅノードＢは、このような制御チャネルからの干渉を被りうる。
【００５４】
ヘテロジニアスな環境では、強いジャマ（jammer）が、いくつかのサブフレームと干渉しうるが、他のサブフレーム内には存在しないかもしれない。これは、干渉条件に依存して、異なる電力制御ループ、レート制御ループ、消去統計、およびラジオ・リンク・モニタリング（ＲＬＭ）を示しうる。本開示の態様は、干渉条件に対処するために、ノイズ・パディングを利用する。ノイズ・パディング技術は、受信信号を規格化するために利用されうる。１つの態様では、ノイズ・パディングは、強いジャマが検出されるとトリガされ、ジャマが立ち去ると、ノイズ・パディングから移行するために、指数関数的なパディング減衰が利用されうる。フェムト基地局は、ジャマがいつ立ち去り、干渉が終わるのかが分からないので、ノイズ・パディングがトリガされると、指数関数的なパディング減衰によって、ノイズ・パディングは、徐々に減少するようになり、トリガ・イベントが消える。
【００５５】
一例では、ノイズ・パディングを使用することにより、制御ループが単純化されうる。さらに、信号対雑音比および入力信号の変動が、低減または最小化されうる。一般に、ノイズ・パディングは、高い干渉変動を防ぐために、ｅノードＢ側で使用されうる。さらに、ノイズ・パディングは、例えば、強い干渉変動がある場合、大きなＡＧＣ（自動利得制御）スイングを防ぐために、ＵＥ側にも適用されうる。
【００５６】
ノイズ・パディングは、さまざまなイベントによってトリガされうる。例えば、ノイズ・パディングは、潜在的な干渉に関する情報が、ｅノードＢ間で明示的に交換されることによってトリガされうる。他の態様の場合、ノイズ・パディングは、干渉レベル変動のｅノードＢによる測定または学習によってトリガされうる。
【００５７】
さらに、ノイズ・パディングは、さまざまな手段によって中止されうる。例えば、ノイズ・パディングは、干渉情報に関する情報がｅノードＢ間で明示的に交換されることによって、干渉体の消滅を観察する測定によって、または、例えば、干渉の消滅後、指数関数的に減衰する関数のようないくつかの関数にしたがって、非アクティブとされうる。
【００５８】
一例では、ノイズ・パディングは、フェムト基地局において受信されたアップリンク送信に適用される。図６Ａ−６Ｃは、フェムト基地局１１０ｃの受信機エンドと、ノイズ・パディングのさまざまな適用の例を例示する。フェムト基地局の受信機エンドは、アンテナ・ポート６０２、アナログ・ラジオ周波数（ＲＦ）回路６０４、自動利得補償（ＡＧＣ）回路６０６、アナログ・デジタル変換器（ＡＤＣ）６０８、高速フーリエ変換（ＦＦＴ）回路６１０、およびモデム６１２を含みうる。
【００５９】
一例において、ノイズ・パディングは、時間領域において実行されうる。例えば、図６Ａは、アナログ領域においてＡＧＣ回路６０６の前に実行されるノイズ・パディング・インジェクション６１４ａを例示する。さらに、図６Ｂは、デジタル領域で、ＦＦＴ回路６１０の前にノイズ・パディング・インジェクション６１４ｂが生じる代替例を例示する。これらの態様については、ホワイトすなわちガウシアン・ノイズ（ｖｎ）が、時間領域において導入されうる。別の例において、ノイズ・パディングは、周波数領域において実行されうる。例えば、図６Ｃは、ＦＦＴ回路６１０の後に周波数領域において実行されるイズ・パディング・インジェクション６１４ｃを例示する。周波数領域におけるノイズ・パディングは選択的に実行され、選択は、１または複数の基準に基づきうる。ある態様の場合、ノイズ・パディングは、チャネル依存でありうる。ここでは、あるチャネルではノイズ・パディングが実行されるが、他のチャネルでは実行されない。他の態様の場合、ノイズ・パディングは、断片的な周波数再使用のために、サブ帯域依存でありうる。ここでは、あるサブ帯域にノイズが加えられるが、他のサブ帯域には加えられない。一例において、４つのサブ帯域に区分された５ＭＨｚサブフレーム帯域幅では、ノイズは、第１および第２のサブ帯域に導入されるが、第３および第４のサブ帯域には導入されない。
【００６０】
周波数領域におけるノイズ・パディングのいくつかの例では、マクロ・セルは、ネットワーク・バックボーンを介してフェムト・セルと通信し、フェムト・セルに、チャネル情報またはサブ帯域情報を提供しうる。他の実施形態については、フェムト・セルは、測定された干渉レベルに基づいて、ノイズを加えるチャネルまたはサブ帯域を学習しうる。例えば、アパートでは、フェムト・セルは、干渉している近隣のＷｉＦｉアクセス端末の帯域を学習し、この帯域に干渉を加えうる。
【００６１】
本開示のある態様は、仮想的なノイズ・パディングを適用しうる。フェムト基地局は、ノイズを導入するのではなく、最悪干渉シナリオに基づいて、電力制御および／またはレート制御を実行しうるが、干渉の無いサブフレームを活用するために、早期終了を許容しうる。ある態様の場合、フェムト基地局は、高い干渉を観察すると、より保守的な制御ループ・アップデートを人為的に使用する。他の態様の場合、フェムト基地局は、干渉が有るか無いかで、完全に異なる制御ループ・パラメータを使用しうる。
【００６２】
ある態様については、ノイズ・パディングは、サブフレーム毎、または、時分割多重（ＴＤＭ）区分毎をベースとして、実行されうる。例えば、フェムト基地局は、例えばＡＣサブフレームのようにサブフレーム干渉レベルにあるかをｅノードＢが確信していないサブフレームにのみパディングを適用しうる。サブフレーム・ベースのノイズ・パディングの例として、図７は、サブフレームｎではなく、サブフレームｎ−１およびｎ＋１にノイズを加えることを例示する。
【００６３】
サブフレーム・ベースか、ＴＤＭ区分ベースのノイズ・パディングの場合、マクロ・セルは、ネットワーク・バックボーンを介してフェムト・セルと通信し、サブフレームまたはＴＤＭ区分の情報を、フェムト・セルに提供しうる。他の実施形態については、フェムト・セルは、測定された干渉レベルに基づいて、ノイズを加えるサブフレームまたはＴＤＭ区分を学習しうる。
【００６４】
ある態様については、ノイズ・パディングは、カジュアルな、または、非カジュアルな自動利得制御（ＡＧＣ）を使用しうる。図８Ａは、カジュアルなＡＧＣの例を例示する。特に、サブフレームｎの干渉が判定され、次に、サブフレームｎについて判定された干渉に基づいて、次のサブフレームｎ＋１にノイズ・パディングが適用されうる。一例では、カジュアルなＡＧＣは、遅延およびバッファリングを行わない。
【００６５】
対照的に、図８Ｂは、非カジュアルなＡＧＣを用いるノイズ・パディングを例示する。サブフレームｎの第１の部分（例えば、サブフレームｎの第１のシンボル）の干渉が判定されうる。その後、ノイズ・パディングは、サブフレームｎの第１の部分について判定された干渉に基づいて、サブフレームｎの残りの部分に適用されうる。次のサブフレームｎ＋１では、サブフレームｎ＋１の第１の部分の干渉（例えば、サブフレームｎ＋１の第１のシンボル）もまた判定されうる。その後、サブフレームｎ＋１の第１の部分について判定された干渉に基づいて、サブフレームｎ＋１の残りの部分に、ノイズ・パディングが適用されうる。
【００６６】
ある態様については、ノイズ・パディングは、リリース・タイプにしたがって実行されうる。特に、ノイズ・パディングは、受信したアップリンク送信がリリース８またはリリース１０のＵＥからのものであるかに依存して実行されうる。言い換えれば、ＵＥが、ある手法で、時間、空間、および／または周波数においてリリース８とリリース１０とに分配されている場合、ノイズ・パディングは、リリース８のＵＥまたはそれらのサブセットのみから受信したアップリンク送信に対して、選択的に適用されうる。
【００６７】
（例えば、リリース８またはリリース１０のような）リリース・タイプにしたがって実行されたノイズ・パディングの場合、マクロ・セルは、ネットワーク・バックボーンを介してフェムト・セルと通信し、関連する情報をフェムト・セルに提供する。他の実施形態については、フェムト・セルは、ＵＥのうちのどれがリリース８のＵＥであるのかを学習し、これらからのアップリンク送信に対してのみノイズを加えうる。
【００６８】
図９Ａは、ヘテロジニアスなネットワークにおける通信にノイズを加える方法９０１を例示する。ブロック９１０では、受信されたアップリンク送信において、アップリンク干渉が検出される。ブロック９１２では、受信されたアップリンク送信に対して、条件を満足する、検出された干渉に基づいて、および、周波数領域区分、サブフレームが保護されているか否か、および／または、ユーザ機器タイプに基づいて、ノイズが導入される。図９Ｂは、仮想的なノイズ・パディングを適用する方法９０２を例示する。ブロック９２０では、アップリンク送信において干渉が検出される。ブロック９２２では、検出された干渉に基づいて、増加した干渉が計算される。ブロック９２２では、検出されたアップリンク送信に応じて、電力アップ・コマンドおよび／またはレート制御コマンドが、ＵＥにダイレクトにシグナルされる。
【００６９】
１つの構成では、アップリンク干渉を検出する手段を含むｅノードＢ１１０が、無線通信のために構成される。１つの態様では、検出する手段は、検出する手段によって詳述された機能を実行するように構成された受信プロセッサ４３８でありうる。ｅノードＢ１１０はまた、受信されたアップリンク送信に、ノイズを導入する手段をも含むように構成される。１つの態様では、導入する手段は、送信する手段によって詳述された機能を実行するように構成された受信プロセッサ４３８でありうる。別の態様では、前述した手段は、前述した手段によって記述された機能を実行するように構成されたモジュールまたは任意の装置でありうる。
【００７０】
１つの構成では、アップリンク干渉を検出する手段をも含むｅノード１１０が、無線通信のために構成される。１つの態様では、検出する手段は、検出する手段によって詳述された機能を実行するように構成された受信プロセッサ４３８でありうる。ｅノード１１０はまた、増加した干渉を計算するための手段をも含むように構成される。１つの態様では、計算する手段は、これら機能を実行するように構成された受信プロセッサ４３８でありうる。ｅノード１１０はまた、ＵＥにダイレクトにシグナリングするための手段を含むようにも構成される。１つの態様では、シグナリングする手段は、シグナリングする手段によって詳述された機能を実行するように構成された送信プロセッサ４２０でありうる。別の態様では、前述した手段は、前述した手段によって記述された機能を実行するように構成されたモジュールまたは任意の装置でありうる。
【００７１】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７２】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７３】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７４】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００７５】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に本願発明の当初の特許請求の範囲に記載された発明を付記する。
［Ｃ１］
無線通信の方法であって、
受信されたユーザ機器（ＵＥ）のアップリンク送信におけるアップリンク干渉を検出することと、
前記受信されたアップリンク送信を、前記検出された干渉に基づいて、さらに、周波数領域区分、サブフレームが保護されているか否か、およびユーザ機器タイプのうちの少なくとも１つに基づいて、ノイズ・パディングすることと、
を備える方法。
［Ｃ２］
前記ノイズ・パディングすることは、前記受信されたアップリンク送信にノイズを導入することを含む、Ｃ１に記載の方法。
［Ｃ３］
前記ノイズ・パディングすることは、前記ＵＥの電力制御を指示すること、および、前記ＵＥの送信レートを制御すること、のうちの少なくとも１つをトリガする、Ｃ１に記載の方法。
［Ｃ４］
前記ノイズ・パディングすることは、フェムト基地局の受信機フロント・エンドにおいて、干渉による入力信号変動を低減させることを備える、Ｃ１に記載の方法。
［Ｃ５］
前記ノイズ・パディングすることは、時間領域区分に基づいており、前記干渉が検出された時と同じ期間の後半部分でなされる、Ｃ１に記載の方法。
［Ｃ６］
前記ノイズ・パディングすることは、時間領域区分に基づいており、前記干渉が検出された後の期間でなされる、Ｃ１に記載の方法。
［Ｃ７］
前記ノイズ・パディングすることは、前記周波数領域区分に基づいており、前記受信されたアップリンク送信の第２のチャネルではなく第１のチャネルへノイズを導入することを備える、Ｃ１に記載の方法。
［Ｃ８］
前記ノイズ・パディングすることは、前記周波数領域区分に基づいており、前記受信されたアップリンク送信の第２のサブ帯域ではなく第１のサブ帯域へノイズを導入することを備える、Ｃ１に記載の方法。
［Ｃ９］
無線通信における仮想的なノイズ・パディングのための方法であって、
アップリンク干渉を検出することと、
前記検出された干渉に基づいて、増加した干渉を計算することと、
前記計算された干渉に応じて、電力制御コマンドおよびレート制御コマンドのうちの少なくとも１つをＵＥへダイレクトにシグナルすることと、
を備える方法。
［Ｃ１０］
無線通信のための装置であって、
受信されたユーザ機器（ＵＥ）のアップリンク送信におけるアップリンク干渉を検出する手段と、
前記受信されたアップリンク送信を、前記検出された干渉に基づいて、さらに、周波数領域区分、サブフレームが保護されているか否か、およびユーザ機器タイプのうちの少なくとも１つに基づいて、ノイズ・パディングする手段と、
を備える装置。
［Ｃ１１］
無線通信における仮想的なノイズ・パディングのための装置であって、
アップリンク干渉を検出する手段と、
前記検出された干渉に基づいて、増加した干渉を計算する手段と
前記計算された干渉に応じて、電力制御コマンドおよびレート制御コマンドのうちの少なくとも１つを、ＵＥへダイレクトにシグナルする手段と、
を備える装置。
［Ｃ１２］
無線ネットワークにおける無線通信のためのコンピュータ・プログラム製品であって、
記録されたプログラム・コードを有するコンピュータ読取可能な媒体を備え、
前記プログラム・コードは、
受信されたユーザ機器（ＵＥ）のアップリンク送信におけるアップリンク干渉を検出するためのプログラム・コードと、
前記受信されたアップリンク送信を、前記検出された干渉に基づいて、さらに、周波数領域区分、サブフレームが保護されているか否か、およびユーザ機器タイプのうちの少なくとも１つに基づいて、ノイズ・パディングするためのプログラム・コードと
を備える、コンピュータ・プログラム製品。
［Ｃ１３］
無線通信における仮想的なノイズ・パディングのためのコンピュータ・プログラム製品であって、
記録されたプログラム・コードを有するコンピュータ読取可能な媒体を備え、
前記プログラム・コードは、
アップリンク干渉を検出するためのプログラム・コードと、
前記検出された干渉に基づいて、増加した干渉を計算するためのプログラム・コードと、
前記計算された干渉に応じて、電力制御コマンドおよびレート制御コマンドのうちの少なくとも１つを、ＵＥへダイレクトにシグナルするためのプログラム・コードと、
を備える、コンピュータ・プログラム製品
［Ｃ１４］
無線通信のためのシステムであって、
メモリと、前記メモリに接続された少なくとも１つのプロセッサとを備え、
前記少なくとも１つのプロセッサは、
受信されたユーザ機器（ＵＥ）のアップリンク送信におけるアップリンク干渉を検出し、
前記受信されたアップリンク送信を、前記検出された干渉に基づいて、さらに、周波数領域区分、サブフレームが保護されているか否か、およびユーザ機器タイプのうちの少なくとも１つに基づいて、ノイズ・パディングする
ように構成された、システム。
［Ｃ１５］
前記ノイズ・パディングすることは、前記受信されたアップリンク送信にノイズを導入することを含む、Ｃ１４に記載のシステム。
［Ｃ１６］
前記ノイズ・パディングすることは、前記ＵＥの電力制御を指示すること、および、前記ＵＥの送信レートを制御すること、のうちの少なくとも１つをトリガする、Ｃ１４に記載のシステム。
［Ｃ１７］
前記ノイズ・パディングするように構成されたプロセッサはさらに、フェムト基地局の受信機フロント・エンドにおいて、干渉による入力信号変動を低減させるように構成された、Ｃ１４に記載のシステム。
［Ｃ１８］
前記ノイズ・パディングすることは、時間領域区分に基づいており、前記干渉が検出された時と同じ期間の後半部分でなされる、Ｃ１４に記載のシステム。
［Ｃ１９］
前記ノイズ・パディングすることは、時間領域区分に基づいており、前記干渉が検出された後の期間でなされる、Ｃ１４に記載のシステム。
［Ｃ２０］
前記ノイズ・パディングすることは、前記周波数領域区分に基づいており、前記受信されたアップリンク送信の第２のチャネルではなく第１のチャネルへノイズを導入することを備える、Ｃ１４に記載のシステム。
［Ｃ２１］
前記ノイズ・パディングすることは、前記周波数領域区分に基づいており、前記受信されたアップリンク送信の第２のサブ帯域ではなく第１のサブ帯域へノイズを導入することを備える、Ｃ１４に記載のシステム。
［Ｃ２２］
無線通信における仮想的なノイズ・パディングのためのシステムであって、
メモリと、前記メモリに接続された少なくとも１つのプロセッサとを備え、
前記少なくとも１つのプロセッサは、
アップリンク干渉を検出し、
前記検出された干渉に基づいて、増加した干渉を計算し、
前記計算された干渉に応じて、電力制御コマンドおよびレート制御コマンドのうちの少なくとも１つを、ＵＥへダイレクトにシグナルする
ように構成された、システム。
【図１】
0005646729.tif 000002
【図２】
0005646729.tif 000003
【図３】
0005646729.tif 000004
【図４】
0005646729.tif 000005
【図５】
0005646729.tif 000006
【図６Ａ】
0005646729.tif 000007
【図６Ｂ】
0005646729.tif 000008
【図６Ｃ】
0005646729.tif 000009
【図７】
0005646729.tif 000010
【図８Ａ】
0005646729.tif 000011
【図８Ｂ】
0005646729.tif 000012
【図９Ａ】
0005646729.tif 000013
【図９Ｂ】
0005646729.tif 000014